(57)【要約】      （修正有）【課題】灯管をいずれの箇所にも簡単便利に固定することができるチャック装置を提供する。【解決手段】本体２と、本体の一面から外へ延伸しており、自分同士の間に灯管８が掴まれる複数の掴みアーム３とを含むチャック部１と、本体に設置され、磁性によりチャック部及び灯管を予定位置に固定する磁石７と、を備える。チャック上の磁石によりいずれの壁面又はいずれの平面にも便利に灯管を固定し、灯管の使用範囲を向上することができる。投光の角度についても、制限されない。【選択図】図３
0003213523.tif 000002
【実用新案登録請求の範囲】
【請求項１】
本体と、前記本体の一面から外へ延伸しており、自分同士の間に灯管が掴まれる複数の掴みアームとを含むチャック部と、
前記本体に設置されており、磁性により前記チャック部及び前記灯管を予定位置に固定する磁石と、を備えてなることを特徴とする灯管を固定するためのチャック装置。
【請求項２】
それぞれの前記掴みアームは、前記灯管の両側に貼り付けられる湾曲部を含む、ことを特徴とする請求項１に記載の灯管を固定するためのチャック装置。
【請求項３】
それぞれの前記湾曲部の内側面から、複数のリブが突出している、ことを特徴とする請求項２に記載の灯管を固定するためのチャック装置。
【請求項４】
それぞれの前記掴みアームは、拡張アームを含み、
それぞれの前記拡張アームは、互いに対向し前記湾曲部から外へ延伸している、ことを特徴とする請求項２に記載の灯管を固定するためのチャック装置。
【請求項５】
一面に磁石が設置され、他面に粘着件が設置されている接続ブロックをさらに含み、
前記接続ブロックの前記磁石は、前記チャック部の前記磁石を引き寄せており、
前記粘着件は、粘着力により前記チャック部及び前記灯管を前記予定位置に固定する、ことを特徴とする請求項１に記載の灯管を固定するためのチャック装置。
【請求項６】
前記磁石と前記本体をロックし、前記磁石を前記本体に固定するロック固定部をさらに含む、ことを特徴とする請求項１に記載の灯管を固定するためのチャック装置。
【考案の詳細な説明】
【技術分野】
【０００１】
本考案は、チャック装置に関し、特に灯管を固定するためのチャック装置に関する。
【背景技術】
【０００２】
日常生活では、灯管が必要な照明用具となっている。灯管は、電気エネルギーの消耗が低く、使用場所があまり限られないとの利点があるので、広くて用いられている。
【０００３】
しかしながら、従来の灯管は、体積が大きく、灯ベースに取り付けられるので、取り外され他の箇所に任意に設置されることができない。例えば、従来の緊急照明設備は、壁に固定されることがあり、取り外されても机の上に置かれるのだけで、使用性が限られる。なお、灯具は、いずれの壁に任意に設置されることができなく、投光の角度が限られる。例の一つとして、壁の定点に固定されている灯具は、一定の区域にしか投光できないので、投光の角度を調整することに不利となる。
【０００４】
よって、考案者にとって、上記の問題点を改善し、さらに産業上実施できることを増進するために、灯管を固定するためのチャック装置を開発する必要がある。
【０００５】
従来のチャック装置を開示する文献として下記の特許文献１がある。特許文献１に開示の直管型ＬＥＤ照明具は、直管型蛍光灯のソケットに取り付け可能な両端の口金部と、前記口金部の間にわたされた直管部材と、前記直管部材に取り付けられた電子基板と、前記電子基板に沿って多数のＬＥＤチップのライン状に並べて取り付けたＬＥＤライン光源と、前記ＬＥＤライン光源への電力供給を制御する電子制御回路とを備えている。この直管型ＬＥＤ照明具によれば、簡単かつ低コストの構成により前方へ照射される光を増加せしめ、光エネルギーを集中させることができる。
【０００６】
しかしながら、特許文献１に開示の直管型ＬＥＤ照明具は、光の照射方向を調整・集中させることはできるが、灯管を任意の位置に取り付けることができるものではない。現在の市場のニーズとしては、灯管の光の照射方向を調整できることは勿論、どのような場所にも灯管を取り付けることができるチャック装置の登場が待ち望まれている。
【先行技術文献】
【特許文献】
【０００７】
【特許文献１】特開２０１７−１０７６８１号公報
【考案の概要】
【考案が解決しようとする課題】
【０００８】
本考案は上記の問題点に鑑みてなされたものであり、その目的は、従来技術の欠点を改善するために、新規性、進歩性及び実用性などの要件を具する灯管を固定するためのチャック装置を提供するものである。
【課題を解決するための手段】
【０００９】
上記の目的を達するために、本考案に採用した技術的手段によれば、本体と、前記本体の一面から外へ延伸しており、自分同士の間に灯管が掴まれる複数の掴みアームとを含むチャック部と、前記本体に設置されており、磁性により前記チャック部及び前記灯管を予定位置に固定する磁石と、を備えてなることを特徴とする灯管を固定するためのチャック装置である。
【００１０】
好ましくは、それぞれの前記掴みアームは、前記灯管の両側に貼り付けられる湾曲部を含むことを特徴とする。
【００１１】
好ましくは、それぞれの前記湾曲部の内側面から、複数のリブが突出していることを特徴とする。
【００１２】
好ましくは、それぞれの前記掴みアームは、拡張アームを含み、それぞれの前記拡張アームは、互いに対向し前記湾曲部から外へ延伸していることを特徴とする。
【００１３】
好ましくは、一面に磁石が設置され、他面に粘着件が設置されている接続ブロックをさらに含み、前記接続ブロックの前記磁石は、前記チャック部の前記磁石を引き寄せており、前記粘着件は、粘着力により前記チャック部及び前記灯管を前記予定位置に固定することを特徴とする。
【００１４】
好ましくは、前記磁石と前記本体をロックし、前記磁石を前記本体に固定するロック固定部をさらに含むことを特徴とする。
【考案の効果】
【００１５】
本考案は、チャック装置により、便利に灯管を固定し、さらにチャック上の磁石によりいずれの壁面又はいずれの平面に引き寄せることで、灯管の使用範囲を向上することができる。なお、投光の角度については、上記従来の固定式灯具のように投光が制限することはない。使用者は、灯管をいずれの箇所に固定することができ、チャック装置の磁石により予定位置を引き寄せることだけで十分で、かなり便利となる。
【００１６】
上記の目的、技術的特徴、及び実施した後の利点をより明らかにするために、以下、本考案に係る好ましい実施形態について、図面を参照しながら詳細的に説明する。
【図面の簡単な説明】
【００１７】
【図１】本考案のチャック装置の第一実施例の外観を示す図である。
【図２】本考案のチャック装置の第一実施例における、灯管を掴んでいる状態を示す平面図である。
【図３】本考案のチャック装置の第一実施例と灯管とを示す分解斜視図である。
【図４】本考案のチャック装置の第一実施例が予定位置に設置された状態を示す図である。
【図５】本考案のチャック装置の第二実施例が予定位置に設置された状態を示す図である。
【考案を実施するための形態】
【００１８】
図１ないし図４を参照し、本考案の第一実施例を示す図である。図１は、外観を示す図であり、図２は、灯管８を掴んでいる状態を示す平面図であり、図３は、灯管８とを示す分解斜視図であり、図４は、予定位置に設置された状態を示す図である。本実施例において、チャック装置は、チャック部１と磁石７を含み、ロック固定部１２により磁石７とロック固定し、磁石７をチャック部１に固定する。
【００１９】
図１ないし図４を参照し、チャック部１は、本体２と、複数の掴みアーム３とを含む。ここで、本体２は円形の構成であるがそれに限らなく、矩形や長方形などとなってもよい。数の掴みアーム３は、本体２の一面から外へ延伸している。各掴みアーム３は、互いに対称し設置されている。各掴みアーム３の間に灯管８が掴まれている。各掴みアーム３は、湾曲部４と拡張アーム６とを含んでいる。二つの湾曲部４は、対称し湾曲し灯管８の両側に貼り付けている。各拡張アーム６は、互いに対向し各湾曲部４から外へ延伸しており、外から内へ漸次的に細くなっており、灯管８を案内し取り付けるようにする。
【００２０】
図２ないし図３を参照し、灯管８は、その側端が二つの掴みアーム３の各拡張アーム６により、二つの湾曲部４内に案内され、その側アームに作用力を加え、その側アームの外壁面が各掴みアーム３に押し付けるようにする。各掴みアーム３が弾性的に拡張した後、灯管８は各湾曲部４の間に設置されることができ、各掴みアーム３は弾性的に回復し灯管８を掴み固定する。
【００２１】
図３を参照し、それぞれの湾曲部４の内側面から、複数のリブ５が突出している。複数のリブ５が灯管８の外側面に接触することにより、滑り止め効果を向上させ、灯管８が各掴みアーム３から脱出することを避けることができる。
【００２２】
図１ないし図４を参照し、磁石７は、本体２に設置されており、磁性によりチャック部１及び灯管８を予定位置に固定する。ここで、本体２上に凹槽が形成し、磁石７が該凹槽に収容される。磁石７は、該凹槽に収容され後、表面が本体２の表面と平らになっており、壁面又はいずれの平面に固定されることができる。チャック部１は、その構成により、簡単で便利で速やかに灯管８を掴むことができ、さらにチャック部１の磁石７により、いずれの壁面又はいずれの平面に引き寄せることで、かなり便利となり、従来の固定式灯具のように投光が制限することはない。
【００２３】
図５を参照し、本考案のチャック装置の第二実施例を示し、予定位置に設置された状態を示す図である。本実施例と第一実施例との主な差異は、接続ブロック９を付加しチャック部１とともに使用する。接続ブロック９により、チャック部１は、さらに他の方式でいずれの壁面又はいずれの平面に固定されることができる。詳しくは、接続ブロック９の一面に磁石１０が設置される。磁石１０は、チャック部１の磁石７を引き寄せ、チャック部１と接続部９とが互いに組み合わせるようにする。なお、接続ブロック９の他面に粘着件１１（マジックテープ（登録商標）または両面テープ）が設置される。粘着件１１は、いずれの箇所に粘着できるものであり、非金属材質の平面を磁石７が引き寄せることが困難となる際に、その粘着力によりチャック部１及び灯管８を予定位置に固定するという効果に達する。
【００２４】
チャック装置により、便利に灯管を固定し、さらにチャック上の磁石によりいずれの壁面又はいずれの平面に引き寄せることで、灯管の使用範囲を向上することができる。なお、投光の角度については、上記従来の固定式灯具のように投光が制限することはない。使用者は、灯管をいずれの箇所に固定することができ、チャック装置の磁石により予定位置を引き寄せることだけで十分で、かなり便利となる。
【００２５】
上記結果から、本考案は、従来の技術を突破する上、増進しようとする効果に確実に達し、且つそれが具する進歩性及び実用性などの要件が、当業者に容易に想到されるものではない。
【符号の説明】
【００２６】
１                チャック部
２                本体
３                掴みアーム
４                湾曲部
５                リブ
６                拡張アーム
７                磁石
８                灯管
９                接続ブロック
１０              磁石
１１              粘着件
１２              ロック固定部
【図１】
0003213523.tif 000003
【図２】
0003213523.tif 000004
【図３】
0003213523.tif 000005
【図４】
0003213523.tif 000006
【図５】
0003213523.tif 000007